(57)【要約】【課題】現在受信している地上ディジタル信号の受信品質が悪くなったとき、より良い受信品質の地上ディジタル信号を配信している同じ系列の放送局を受信することができる地上ディジタル放送受信装置を提供する。【解決手段】地上ディジタル放送受信装置２０は、受信品質判定部２３により否の判定結果が示されたときに、複数の物理チャンネルのうち第１チューナ２１が選択した第１物理チャンネルに対応する一の放送局と同じ系列に所属している他の放送局を検索して、複数の物理チャンネルのうち当該他の放送局に対応する第２物理チャンネルを第２チューナ２５に選択させる検索部２４と、第１チューナの受信品質と第２チューナの受信品質とを比較した結果が第２チューナの受信品質が良であることを示したときに、他の放送局に対応する第２物理チャンネルを第１チューナ２１に選択させる第１選局部２８と、を備える構成とする。【選択図】図１
2010028460.tif 000002
【特許請求の範囲】
【請求項１】
複数の物理チャンネルの地上ディジタル信号を受信する複数のチューナと、
前記チューナの中の第１チューナから出力された第１トランスポートストリームの第１受信品質を測定する第１測定部と、
前記第１受信品質の良否を判定する受信品質判定部と、
前記受信品質判定部により否の判定が示されたときに、前記物理チャンネルのうち前記第１チューナが選択した第１物理チャンネルに対応する一の放送局と同じ系列に所属している他の放送局を検索して、複数の前記物理チャンネルのうち該他の放送局に対応する第２物理チャンネルを複数の前記チューナの中の第２チューナに選択させる検索部と、
前記第２チューナから出力された第２トランスポートストリームの第２受信品質を測定する第２測定部と、
前記第１受信品質と前記第２受信品質とを比較する受信品質比較部と、
前記受信品質比較部の比較結果が前記第２受信品質が前記第１受信品質より良であることを示したときに、前記他の放送局に対応する前記第２物理チャンネルを前記第１チューナに選択させる第１選局部と、
を備えることを特徴とする地上ディジタル放送受信装置。
【請求項２】
請求項１に記載の地上ディジタル放送受信装置において、
前記第１受信品質は、前記第１チューナから出力された前記第１トランスポートストリームのビットエラーレートであり、
前記第２受信品質は、前記第２チューナから出力された前記第２トランスポートストリームのビットエラーレートであることを特徴とする地上ディジタル放送受信装置。
【請求項３】
請求項２に記載の地上ディジタル放送受信装置において、
前記比較部にて前記第２チューナから出力された前記第２トランスポートストリームのビットエラーレートが前記第１チューナから出力された前記第１トランスポートストリームのビットエラーレートを下回ったときに、前記第１選局部は前記第１チューナに前記第２物理チャンネルを選択させることを特徴とする地上ディジタル放送受信装置。
【請求項４】
請求項１乃至３いずれかに記載の地上ディジタル放送受信装置において、
前記受信品質判定部の判定結果が良であることを示したときには、前記受信品質判定部は前記検索部の処理を終了させることを特徴とする地上ディジタル放送受信装置。
【請求項５】
請求項１乃至４いずれかに記載の地上ディジタル放送受信装置において、
前記検索部は、
前記第２チューナに前記第２物理チャンネルを選択させる第２選局部と、
前記第１チューナおよび前記第２チューナからそれぞれ出力された前記第１トランスポートストリームおよび前記第２トランスポートストリームより放送局情報を抽出する放送局情報抽出部と、
抽出された前記放送局情報を比較して、前記第２チューナが選択している前記第２物理チャンネルが前記一の放送局と同じ系列に所属している前記他の放送局に対応しているか否かを判定する同系列放送局判定部と、
を含むことを特徴とする地上ディジタル放送受信装置。
【請求項６】
請求項５に記載の地上ディジタル放送受信装置において、
前記同系列放送局判定部により否の判定が示されたとき、前記第２選局部は前記第２チューナに前記物理チャンネルに含まれる次の物理チャンネルを前記第２物理チャンネルとして選択させ、前記同系列放送局判定部により可の判定が示されたとき、前記検索部はその処理を終了することを特徴とする地上ディジタル放送受信装置。
【請求項７】
請求項５または６に記載の地上ディジタル放送受信装置において、
前記放送局情報抽出部にて前記放送局情報が抽出できないとき、前記第２選局部は前記第２チューナに前記物理チャンネルに含まれる次の物理チャンネルを前記第２物理チャンネルとして選択させることを特徴とする地上ディジタル放送受信装置。
【請求項８】
請求項１乃至７いずれかに記載の地上ディジタル放送受信装置において、
前記第２チューナは、地上ディジタル信号のうち一部のセグメントを受信することを特徴とする地上ディジタル放送受信装置。
【請求項９】
複数の物理チャンネルの地上ディジタル放送波を受信する複数のチューナを用いた地上ディジタル放送受信装置の選局方法であって、
前記チューナの中の第１チューナから出力された第１トランスポートストリームの第１受信品質を測定する第１測定ステップと、
前記第１受信品質の良否を判定する受信品質判定ステップと、
前記受信品質判定ステップにより否の判定が示されたときに、前記物理チャンネルのうち前記第１チューナが選択した第１物理チャンネルに対応する一の放送局と同じ系列に所属している他の放送局を検索して、複数の前記物理チャンネルのうち該他の放送局に対応する第２物理チャンネルを複数の前記チューナの中の第２チューナに選択させる検索ステップと、
前記第２チューナから出力された第２トランスポートストリームの第２受信品質を測定する第２測定ステップと、
前記第１受信品質と前記第２受信品質とを比較する受信品質比較ステップと、
前記受信品質比較ステップの比較結果が前記第２受信品質が前記第１受信品質より良であることを示したときに、前記他の放送局に対応する前記第２物理チャンネルを前記第１チューナに選択させる第１選局ステップと、
を備えることを特徴とする選局方法。
【請求項１０】
請求項９に記載の選局方法において、
前記第１受信品質は、前記第１チューナから出力された第１トランスポートストリームのビットエラーレートとし、
前記第２受信品質は、前記第２チューナから出力された第２トランスポートストリームのビットエラーレートとすることを特徴とする選局方法。
【請求項１１】
請求項１０に記載の選局方法において、
前記受信品質比較ステップにて前記第２チューナから出力された前記第２トランスポートストリームのビットエラーレートが前記第１チューナから出力された前記第１トランスポートストリームのビットエラーレートを下回ったときに、前記第１選局ステップは前記第１チューナに前記第２物理チャンネルを選択させることを特徴とする選局方法。
【請求項１２】
請求項９乃至１１いずれかに記載の選局方法において、
前記受信品質判定ステップの判定結果が良であることを示したときには、前記受信品質判定ステップにて前記検索ステップを終了させることを特徴とする選局方法。
【請求項１３】
請求項９乃至１２いずれかに記載の選局方法において、
前記検索ステップは、
前記第２チューナに前記第２物理チャンネルを選択させる第２選局ステップと、
前記第１チューナおよび前記第２チューナからそれぞれ出力された前記第１トランスポートストリームおよび前記第２トランスポートストリームより放送局情報を抽出する放送局情報抽出ステップと、
抽出された前記放送局情報を比較して、前記第２チューナが選択している前記第２物理チャンネルが前記一の放送局と同じ系列に所属している前記他の放送局に対応しているか否かを判定する同系列放送局判定ステップと、
を含むことを特徴とする選局方法。
【請求項１４】
請求項１３に記載の選局方法において、
前記同系列放送局判定ステップにより否の判定が示されたとき、前記第２選局ステップは前記第２チューナに前記物理チャンネルに含まれる次の物理チャンネルを前記第２物理チャンネルとして選択させ、前記同系列放送局判定ステップにより可の判定が示されたとき、前記検索ステップは終了することを特徴とする選局方法。
【請求項１５】
請求項１３または１４に記載の選局方法において、
前記放送局情報抽出ステップにて前記放送局情報が抽出できないとき、前記第２選局ステップは前記第２チューナに前記物理チャンネルに含まれる次の物理チャンネルを前記第２物理チャンネルとして選択させることを特徴とする選局方法。
【発明の詳細な説明】
【技術分野】
【０００１】
本発明は、地上ディジタル放送受信装置およびその選局方法に関する。
【背景技術】
【０００２】
テレビ放送において、その放送局が使用している特定の周波数帯域幅を一つの単位として定義し、物理チャンネルと呼んでいる。アナログ放送において、受信端末（チューナ）の選局スイッチ番号と物理チャンネルとは対応している。しかし、地上ディジタル放送において、チューナの選局スイッチ番号と物理チャンネル番号とは一致しない。そのため、地上ディジタル放送用のチューナは視聴する前にチャンネルリスト登録を行い、選局スイッチごとに使用する物理チャンネルを定める必要がある。しかし、放送局ごとに使用する物理チャンネルが異なるので、他の放送局の放送エリアに移動したとき、チャンネルリスト登録をやり直さなくてはならない。車載用チューナや携帯用チューナは、移動しながら放送を視聴することが前提であるが、放送エリアを移動するたびにチャンネルリストの再登録を行い、再選局するのは不便である。また、チャンネルリストの再登録をして、再選局するまでの間は放送を視聴することができない。この問題に対処するため、異なる放送エリアに移動する際に同じ系列の放送局のディジタル放送を連続的に視聴する技術が発明されてきた。
【０００３】
この種の技術として、特許文献１（特開２００７−９６７６０号公報）には、放送局から放送波を受信するチューナを有する車載用受信装置において、放送波を受信するサブチューナを設け、チューナの受信レベルが所定のしきい値を下回ったときに、記憶手段に記憶している局情報に基づいてチューナが受信している放送局に隣接している放送局から配信される放送波をサブチューナに受信させ、同じ物理チャンネルを使用している放送局を特定し、この放送局にチューナの選局を切り替える技術が記載されている。
【０００４】
また、特許文献２（特開２００４−１４０６９０号公報）には、受信可能な放送局が放送する番組情報を取得し、受信レベルの低下前に視聴していた放送局の番組情報と比較し、同じ系列の放送局、または同じ番組を放送しているときに、その放送局を選局する技術が記載されている。
【特許文献１】特開２００７−９６７６０号公報
【特許文献２】特開２００４−１４０６９０号公報
【発明の開示】
【発明が解決しようとする課題】
【０００５】
しかしながら、上記文献記載の技術は、以下の点で改善の余地を有していた。すなわち、特許文献１に記載の技術は、現在視聴している放送局の物理チャンネルと当該放送局に隣接している同じ系列の放送局の物理チャンネルが異なるときがあり、このようなときは隣接している放送エリアにおいて同じ系列の放送局が存在しているにもかかわらず、当該放送局の物理チャンネルを選局することができなかった。また、特許文献２に記載の技術は、受信している放送波の受信レベルが低下し、視聴できなくなったときに、受信可能な別の放送局を受信可能か否かの判断だけで選局するので、より受信レベルが低い放送波を配信している放送局を選局する可能性があった。
【０００６】
本発明は上記事情に鑑みてなされたものであり、その目的とするところは、現在受信している地上ディジタル信号の受信品質が悪くなったとき、より良い受信品質の地上ディジタル信号を配信している同じ系列の放送局を受信することができる地上ディジタル放送受信装置およびその選局方法を提供することにある。
【課題を解決するための手段】
【０００７】
本発明によれば、複数の物理チャンネルの地上ディジタル信号を受信する複数のチューナと、前記チューナの中の第１チューナから出力された第１トランスポートストリームの第１受信品質を測定する第１測定部と、前記第１受信品質の良否を判定する受信品質判定部と、前記受信品質判定部により否の判定が示されたときに、前記物理チャンネルのうち前記第１チューナが選択した第１物理チャンネルに対応する一の放送局と同じ系列に所属している他の放送局を検索して、複数の前記物理チャンネルのうち該他の放送局に対応する第２物理チャンネルを複数の前記チューナの中の第２チューナに選択させる検索部と、前記第２チューナから出力された第２トランスポートストリームの第２受信品質を測定する第２測定部と、前記第１受信品質と前記第２受信品質とを比較する受信品質比較部と、前記受信品質比較部の比較結果が前記第２受信品質が前記第１受信品質より良であることを示したときに、前記他の放送局に対応する前記第２物理チャンネルを前記第１チューナに選択させる第１選局部と、を備えることを特徴とする地上ディジタル放送受信装置が提供される。
【０００８】
また、本発明によれば、複数の物理チャンネルの地上ディジタル放送波を受信する複数のチューナを用いた地上ディジタル放送受信装置の選局方法であって、前記チューナの中の第１チューナから出力された第１トランスポートストリームの第１受信品質を測定する第１測定ステップと、前記第１受信品質の良否を判定する受信品質判定ステップと、前記受信品質判定ステップにより否の判定が示されたときに、前記物理チャンネルのうち前記第１チューナが選択した第１物理チャンネルに対応する一の放送局と同じ系列に所属している他の放送局を検索して、複数の前記物理チャンネルのうち該他の放送局に対応する第２物理チャンネルを複数の前記チューナの中の第２チューナに選択させる検索ステップと、前記第２チューナから出力された第２トランスポートストリームの第２受信品質を測定する第２測定ステップと、前記第１受信品質と前記第２受信品質とを比較する受信品質比較ステップと、前記受信品質比較ステップの比較結果が前記第２受信品質が前記第１受信品質より良であることを示したときに、前記他の放送局に対応する前記第２物理チャンネルを前記第１チューナに選択させる第１選局ステップと、を備えることを特徴とする選局方法が提供される。
【０００９】
この発明によれば、第１チューナの受信品質が悪くなったときに、第１チューナが選択している第１物理チャンネルに対応する放送局と同じ系列に所属している放送局を検索して、当該他の放送局に対応する第２物理チャンネルを第２チューナに選択させて、第１チューナの受信品質と第２チューナの受信品質を比較して、第２チューナの受信品質の方が良と判定されてから第１チューナの選局を第２物理チャンネルとするので、異なる放送エリアに移動しても同じ系列の放送局の地上ディジタル放送を連続的に視聴することができる。また、その際に受信品質がより悪い放送局を選局することを防止できる。
【００１０】
なお、本発明の各種の構成要素は、必ずしも個々に独立した存在である必要はなく、複数の構成要素が一個の部材として形成されていること、一つの構成要素が複数の部材で形成されていること、ある構成要素が他の構成の一部であること、ある構成要素の一部と他の構成要素の一部とが重複していること、等でもよい。
【発明の効果】
【００１１】
本発明によれば、現在受信している地上ディジタル信号の受信品質が悪くなったとき、より良い受信品質の地上ディジタル信号を配信している同じ系列の放送局を受信することができる地上ディジタル放送受信装置およびその選局方法が提供される。
【発明を実施するための最良の形態】
【００１２】
以下、本発明の実施の形態について、図面を用いて説明する。尚、すべての図面において、同一な構成要素には同一の符号を付し、適宜説明を省略する。
【００１３】
図１は、本発明の実施形態に係る地上ディジタル放送受信装置の構成図である。複数の物理チャンネルの地上ディジタル信号を受信する複数のチューナ２１、２５と、チューナの中の第１チューナ２１から出力された第１トランスポートストリームの第１受信品質を測定する第１測定部２２と、第１受信品質の良否を判定する受信品質判定部２３と、受信品質判定部２３の判定結果により否の判定が示されたときに、物理チャンネルのうち第１チューナ２１が選択した第１物理チャンネルに対応する一の放送局と同じ系列に所属している他の放送局を検索して、複数の物理チャンネルのうち当該他の放送局に対応する第２物理チャンネルを第２チューナ２５に選択させる検索部２４と、第２チューナ２５から出力された第２トランスポートストリームの第２受信品質を測定する第２測定部２６と、第１受信品質と第２受信品質とを比較する受信品質比較部２７と、受信品質比較部２７の比較結果が第２受信品質が第１受信品質より良であることを示したときに、他の放送局に対応する第２物理チャンネルを第１チューナ２１に選択させる第１選局部２８と、を備えることができる。また、地上ディジタル放送受信装置２０は、アンテナ１０、デコーダ３０および映像・音声再生部４０とともに用いられる。
【００１４】
本実施形態において、第１チューナ２１および第２チューナ２５の２つのチューナを用いる構成としている。第１チューナ２１と第２チューナ２５とに用いられる部材が同種である必要はない。たとえば、第２チューナ２５は、地上ディジタル信号のうち一部のセグメントを受信する構成としてもよく、携帯電話・移動端末向けの１セグメント（いわゆるワンセグ）を部分受信する構成としてもよい。本実施形態おいて、第２チューナ２５は検索部２４が検索処理を実行するために要する部材であり、第２チューナ２５が受信している地上ディジタル信号自体を変換して画像および音声とし、映像・音声再生部４０にて再生する必要はない。よって受信するセグメントは部分受信で構わず、その方が低コスト化および地上ディジタル放送受信装置２０の小型化が図れる。
【００１５】
また、本実施形態において、第１受信品質は、第１チューナ２１から出力された第１トランスポートストリームのビットエラーレートであり、第２受信品質は、第２チューナ２５から出力された第２トランスポートストリームのビットエラーレートであることができる。この場合には、比較部２７にて第２チューナ２５から出力された第２トランスポートストリームのビットエラーレートが第１チューナ２１から出力された第１トランスポートストリームのビットエラーレートを下回ったときに、第１選局部２８は第１チューナ２１に第２物理チャンネルを選択させることができる。本実施形態において、受信品質はトランスポートストリームのビットエラーレートとしたが、受信品質はＣＮＲ（Ｃａｒｒｉｅｒ  ｖｓ．  Ｎｏｉｓｅ  Ｒａｔｉｏ）やＳＮＲ（Ｓｉｇｎａｌ  ｔｏ  Ｎｏｉｓｅ  Ｒａｔｉｏ）としてもよい。
【００１６】
本実施形態において、受信品質判定部２３の判定結果が良であることを示したときに、受信品質判定部２３は検索部２４の処理を終了する構成としてもよい。第１受信品質が良好で、通常に視聴できる状態であれば、検索部２４の処理を終了することで、第２チューナを待機状態とすることができ、消費電力の低減が図れる。また、検索部２４は、第１チューナ２１が選択した第１物理チャンネルに対応する一の放送局と同じ系列に所属している他の放送局を検索されるまで、処理を繰り返す。この処理の最中に受信品質判定部２３の判定結果が良であることを示したときに、検索部２４の処理を終了すれば、無駄に検索処理を繰り返すことがない。
【００１７】
図２は、本実施形態に係る検索部２４の構成図である。検索部２４は、第２チューナ２５に第２物理チャンネルを選択させる第２選局部２４３と、第１チューナ２１および第２チューナ２５からそれぞれ出力された第１トランスポートストリームおよび第２トランスポートストリームより放送局情報を抽出する放送局情報抽出部２４１と、抽出された放送局情報を比較して、第２チューナ２５が選択している第２物理チャンネルが一の放送局と同じ系列に所属している他の放送局に対応しているか否かを判定する同系列放送局判定部２４２と、を含んでもよい。
【００１８】
図３は、地上ディジタル信号のデータ構造を示した図である。地上ディジタル信号には映像・音声情報とデータ放送情報と放送局情報とからなる。データ放送情報には、最新のニュースや天気や交通などの情報に加え、配信中の番組や今後配信予定の番組に関連する情報などが含まれる。放送局情報には、受信している地上ディジタル信号を配信している放送局を示す情報や当該放送局が所属している系列局示す情報や当該放送局が使用している物理チャンネルを示す情報などが含まれる。
【００１９】
放送局情報抽出部２４１は、第１チューナが出力する第１トランスポートストリームおよび第２トランスポートストリームをデコードして、放送局情報を抽出することができる。
【００２０】
同系列放送局判定部２４２は、放送局情報抽出部２４１が抽出した放送局情報から第１チューナが受信している地上ディジタル信号と第２チューナが受信している地上ディジタル信号とを配信しているそれぞれの放送局が所属している系列局を示す情報を比較して、同じ系列に所属しているか否か判定する。
【００２１】
同系列放送局判定部２４２により否の判定が示されたとき、第２選局部は第２チューナ２５に複数物理チャンネルに含まれる次の物理チャンネルを第２物理チャンネルとして選択させ、同系列放送局判定部２４２により可の判定が示されたとき、検索部２４はその処理を終了してもよい。第２チューナが受信可能な物理チャンネルを順次選択して、受信可能なすべての物理チャンネルに対して同系列放送局判定部２４２により否の判定が示されたとき、第２チューナ２５に最初に選択させた物理チャンネルを選択させてもよい。ただし、ここで第２チューナが選択する物理チャンネルは第１チューナが選択した第１物理チャンネルを除く。
【００２２】
放送局情報抽出部２４１にて放送局情報を抽出できないとき、第２選局部２４３は第２チューナ２５に複数の物理チャンネルに含まれる次の物理チャンネルを第２物理チャンネルとして選択させてもよい。放送局情報を抽出できない物理チャンネルを第２チューナ２５が選択しているときは、同系列放送局判定部２４２の判定ができないので、当該物理チャンネルを使用している放送局がないものとして扱い、次の物理チャンネルを選択させてもよい。
【００２３】
図４は、本実施形態に係る地上ディジタル放送受信装置２０の選局方法のフローチャートである。複数の物理チャンネルの地上ディジタル放送波を受信する複数のチューナを用いた地上ディジタル放送受信装置の選局方法であって、チューナの中の第１チューナから出力された第１トランスポートストリームの第１受信品質を測定する第１測定ステップ（ステップＳ１０２）と、第１受信品質の良否を判定する受信品質判定ステップ（ステップＳ１０３）と、受信品質判定ステップにより否の判定が示されたとき（ステップＳ１０３のＮＯ）に、物理チャンネルのうち第１チューナが選択した第１物理チャンネルに対応する一の放送局と同じ系列に所属している他の放送局を検索して、複数の物理チャンネルのうち当該他の放送局に対応する第２物理チャンネルを複数のチューナの中の第２チューナに選択させる検索ステップ（ステップＳ１０４）と、第２チューナから出力された第２トランスポートストリームの第２受信品質を測定する第２測定ステップ（ステップＳ１０５）と、第１受信品質と第２受信品質とを比較する受信品質比較ステップ（ステップＳ１０６）と、受信品質比較ステップの比較結果が第２受信品質が第１受信品質より良であることを示したとき（ステップＳ１０６のＹＥＳ）に、他の放送局に対応する第２物理チャンネルを第１チューナに選択させる第１選局ステップ（ステップＳ１０７）と、を備えることができる。
【００２４】
受信品質比較ステップにて第２チューナ２５から出力されたトランスポートストリームのビットエラーレートが第１チューナ２１から出力されたトランスポートストリームのビットエラーレートを下回ったときに（ステップＳ１０６のＹＥＳ）、第１選局ステップ（ステップＳ１０７）は第１チューナ２１に第２物理チャンネルを選択させてもよい。
【００２５】
受信品質判定ステップの判定結果が良であることを示したとき（ステップＳ１０３のＹＥＳ）に、受信品質判定ステップ（ステップＳ１０３）にて検索ステップ（ステップＳ１０４）を終了してもよい。第１測定ステップ（ステップＳ１０２）と受信品質判定ステップ（ステップＳ１０３）とは、現在視聴している番組の視聴を継続しているとき（ステップＳ１０１のＮＯ）には、他のステップと平行して実行することが可能である。よって、検索ステップ（ステップＳ１０４）の実行中に受信品質判定ステップの判定結果が良であることを示したとき（ステップＳ１０３のＹＥＳ）、検索ステップ（ステップＳ１０４）を終了することで、無駄な処理を省くことができる。
【００２６】
現在視聴している番組の視聴を続けるとき（ステップＳ１０１のＮＯ）、上述の選局方法のフローが繰り返される。現在視聴している番組の視聴を終了するとき（ステップＳ１０１のＹＥＳ）、たとえばユーザが他の放送局を選局するとき、地上ディジタル放送受信装置２０の電源を切るとき、上述のフローチャートに含まれる処理は終了となる。
【００２７】
図５は、検索ステップ（ステップＳ１０４）のフローチャートである。検索ステップ（ステップＳ１０４）は、第２チューナ２５に物理チャンネルを設定する第２選局ステップ（ステップＳ２０１）と、第１チューナ２１および第２チューナ２５から出力されたトランスポートストリームより放送局情報を抽出する放送局情報抽出ステップ（ステップＳ２０２）と、抽出された放送局情報を比較して、第２チューナ２５が選択している第２物理チャンネルが一の放送局と同じ系列に所属している他の放送局に対応しているか否かを判定する同系列放送局判定ステップ（ステップＳ２０４）と、を含んでもよい。
【００２８】
同系列放送局判定ステップにより否の判定が示されたとき（ステップＳ２０４のＮＯ）、第２チューナ２５に物理チャンネルに含まれる次の物理チャンネルを第２物理チャンネルとして選択させ、同系列放送局判定ステップにより可の判定が示されたとき（ステップＳ２０４のＹＥＳ）、検索ステップ（ステップＳ１０４）は終了してもよい。
【００２９】
放送局情報抽出ステップ（ステップＳ２０２）にて放送局情報を抽出できない（ステップＳ２０３のＹＥＳ）とき、第２選局ステップ（ステップＳ２０１）は第２チューナ２５に物理チャンネルに含まれる次の物理チャンネルを第２物理チャンネルとして選択させてもよい。
【００３０】
以上、図面を参照して本発明の実施形態について述べたが、これらは本発明の例示であり、上記以外の様々な構成を採用することもできる。
【００３１】
たとえば、本実施形態において、アンテナ１０、デコーダ３０および映像・音声再生部４０を地上ディジタル放送受信装置２０の外部に設ける構成としているが、これらの少なくとも一つを地上ディジタル放送受信装置２０の内部に設ける構成としても構わない。
【００３２】
さらに、本実施形態において、放送局情報抽出部２４１が第１トランスポートストリームおよび第２トランスポートストリームをデコードしてそれぞれから放送局情報を抽出する構成しているが、放送局情報抽出部２４１はデコーダ３０から放送局情報を取得する構成としてもよい。
【図面の簡単な説明】
【００３３】
【図１】実施の形態に係る地上ディジタル放送受信装置の構成図である。
【図２】実施の形態に係る検索部の構成図である。
【図３】実施の形態に係る地上ディジタル信号のデータ構造を示した図である。
【図４】実施の形態に係る地上ディジタル放送受信装置の選局方法のフローチャートである。
【図５】実施の形態に係る検索処理のフローチャートである。
【符号の説明】
【００３４】
１０   アンテナ
２０   地上ディジタル放送受信装置
２１   第１チューナ
２２   第１測定部
２３   受信品質判定部
２４   検索部
２４１ 放送局情報抽出部
２４２ 同系列放送局判定部
２４３ 第２選局部
２５   第２チューナ
２６   第２測定部
２７   受信品質比較部
２８   第１選局部
３０   デコーダ
４０   映像・音声再生部
【図１】
2010028460.tif 000003
【図２】
2010028460.tif 000004
【図３】
2010028460.tif 000005
【図４】
2010028460.tif 000006
【図５】
2010028460.tif 000007